(57)【要約】      （修正有）【課題】迷惑電話を受け付けないで済むようにし、また、携帯電話を持っている外国人と通訳会話ができるようにする。【解決手段】モード切替ボタン５で暗証モードを選択し、暗証番号を入力して置く。相手からの電話番号に、この暗証番号が付いていない場合は、電話を受け付けない様にする。またモード切替ボタン５で通訳モードを選択し、次いで相手の携帯電話に電話を掛け、電話局の電子外国語翻訳機を作動させて、話し相手の受話器に通訳した言葉で通信させる。【選択図】図１
2006050598.tif 000002
【特許請求の範囲】
【請求項１】
通信機を呼び出す符号に続く所望の符号を入力するための手段と、呼び出し符号の特定の部分と入力した符号の一致を確認する手段と、確認する手段が確認した後に通信態勢をとる手段を備えたサービス通信機。
【請求項２】
通信機の送話器に話す言葉を所望の国の言葉に通訳することを通信基地に指示するためで、通信基地に設けた言語翻訳コンピュータを作動させて、話し相手の受話器に通訳した言葉を通信させるための手段を備えたサービス通信機。
【発明の詳細な説明】
【技術分野】
【０００１】  本発明は、電話、ｅメール等の通信機の利便性の拡大を計ったものである。
【背景技術】
【０００２】  従来より有線、無線の電話機に対して、知らない者から迷惑な電話が掛り、困らされることは多い。特に個人情報が漏れたり、番号を１つづつずらして電話を掛けるローラー作戦は多大の被害を与えている。
この様な被害を防止する一法として、ＮＥＣは製品名「ＳＰ−Ｓ３３」を発売した。その特徴を、２００５年４月２７日付日本経済新聞は「電話着信時、かけてきた相手が電話帳に登録された相手か否かを判断するなど電話機能を充実させた」こと、また迷惑電話がかかってきた場合、お断りボタンを押すことで、相手に「お断り」メッセージを流して電話を切ったり、相手番号を自動的に登録することだと述べている。
【発明の開示】
【発明の解決しようとする課題】
【０００３】  この機能は好ましい機能であるが、予め電話機やファクシミリに、番号を登録する面倒な手間が掛り、また新規な相手では取り敢えず電話に出る必要がある。
【０００４】  本発明は、この様な従来の構成が有していた問題を解決しようとするもので、望ましい相手に渡す名刺や、談話の中で、当方の暗証番号や記号を知らせておくことで、相手番号を入力する手間を省くことを目的とし、また暗証番号が知られた場合には改変することで、簡単に対応する従属目的を有するものである。
【０００５】  他方、携帯番号を持っている外国人と、自分の電話を使って通訳会話が出来る様にしたことを別の独立した目的とする。
【課題を解決するための手段】
【０００６】  そして、本発明は上記目的を達成するために、通信機に、通信機を呼び出す符号に連続する所望の符号（番号、文字、記号等）を入力するための手段と入力した符号と相手からの符号との一致を確認する手段と、確認する手段が確認した後に通信態勢をとる手段を設けたものである。
【０００７】  また別の独立した目的を達成するために、通信機の送話器に話す言葉を所望の国の言葉に通訳する様に通信基地へ指示するためで、且つ通信基地に設けた言語翻訳コンピュータを作動させて、話し相手の受話器に通訳した言葉を通信させるための手段を通信機に設けたものである。
【０００８】  上記課題解手段による作用は、暗証番号まで知っている相手の電話の時にだけ、呼び出し音を鳴らし、またはファックスやｅメールの受信をすることができる事である。
【０００９】  また後段の課題解決手段の作用は、互いに同じ機能の携帯電話を持っていれば、相手の理解できる言葉を受話器に送り合うことができる事である。
【発明の効果】
上述した本発明の通話機は、更なる利便性提供でき、更に迷惑電話に出ることを無くすことができる。
【００１０】  あるいは、話しの通じない外国人と会話することができる様にして、従来、電話局の通訳のできる人を介在させる方法を簡便にし、種々言語にもすぐ対応できる様にした。
【発明の実施をするための最良の形態】
【００１１】  以下、本発明の実施の形態を図１に基づいて説明する。尚、発明は細部構成にあるわけではないので、各要素は簡略化して描いている。
【００１２】  図１は有線の電話機としているが、無線の携帯電話機であっても良い。１はプッシュボタンボードで、０から９までの数字ボタンとアスタリスク及びシャープの記号の表記されたボタンを持つ。２は電話線を示す。但し、給電線は省いた。３は聞取器、４は送話器である、５はモード切替ボタンで、これを押すことで、通常モード、暗号モード、予め記憶させた電話番号と相手の番号を比較して電話を受けつけるモード等を切替えることができるものとする。６は発音器で、電話の呼び出し音を鳴らすことができる。
【００１３】  ７は、制御部で、マイクロプロセッサ等で構成されており、８は比較部で、予め入力しておいた暗証番号と相手から掛って来た電話番号の暗証番号を比較するためのものである。９は記憶部で、予め設定した暗証番号、暗証記号、両者の組合せを、例えば２桁ないし３桁記憶する。また記憶部９は相手からの番号を一時的に記憶し、暗証番号同士の比較を行ったり、表示するために役立つ。１０は表示器で、掛けて来た相手の電話番号を表示する。１１は階段入力ボタンで、後述の例で使用する。
【００１４】  以下、上記構成の動作を説明する。まず、モード切替ボタンを押して、暗証番号設定モードを選択する。設定モードであることは表示器１０に表示させる。ここで、プッシュボタンボード１のボタンを、例えば２と３を押すと、制御部７を介して記憶部９に２３と登録させる。そして相手から電話が掛ると、制御部７は記憶部９に一時相手の電話番号を記憶し、入電した電話番号に暗証部か在るか無いか、更には設定した暗証番号と一致するかを比較部９で比較し、暗証番号が無い時や誤っている時には、相手の電話機に「この電話は現在使われていません」と言ったメッセージを流す、あるいは強制的に切る。
一方、暗証番号と相手からの末尾番号が一致した時には、発音器６を作動させて、電話を受けられる。
この様にして暗証番号を知らない相手からの電話を受けずに済むわけである。
【００１５】  次に図２に示す例は、携帯番号の普及に伴った一案で、互いに携帯電話を持った日本人と外国人が、携帯電話を使った翻訳された言葉で話し合うと言うものである。
【００１６】  番号２０は電話局。２１は大型コンピュータを使った電子外国語翻訳機で、言葉で入力された話しを、所望の外国語の言葉に通訳する機能を持つ。携帯電話２２を持つ日本人が、携帯電話２３を持つ外国人と通したい場合、図１のモード切替ボタン５で通訳モードを選択し、次いで、相手の携帯電話２３に電話を掛け、更に例えば、英語の時は＃１、仏語は＃２、独語は＃３、中国語は＃４を入力すると、電語局２０の電子外国語翻訳機２１は、＃１であれば、携帯電語２２の送話器に話した日本語を英語に通訳して携帯電話２３の聞取器に送る。また逆に、携帯電話２３の送語機に英語を話すと、携帯電話２２の聞取器に日本語が流れる様になっている。但し、会話の階落を決めるためには、図１のボタン１１を押して定めるか、言葉で「ダンラク」と言うと通訳が始まる様にしておくものとする。更に話者の周波数特性を分析し、その人の声で外国語を話すこともできる。
【図面の簡単な説明】
【００１７】
【図１】  本発明の実施形態を示す電話機の構成図
【図２】  携帯電話の使い方を示す概念図
【符号の説明】
【００１８】１  プッシュボタンボード
５  モード切替ボタン
８  比較部
【図１】
2006050598.tif 000003
【図２】
2006050598.tif 000004